(57)【要約】【課題】折り畳み文書を提供する。【解決手段】文書の対角のコーナーを対角の方向に開く折り畳み文書において、コンテンツを、裏面で表面と上下逆さまに記載し、コーナーを保持したまま１８０度回転させることで、容易に裏面を閲覧することができる。【選択図】図２
2012056301.tif 000002
【特許請求の範囲】
【請求項１】
紙面の対角のコーナーを、該対角の方向に引っ張ることによって紙面を開く折り畳み文書において、その紙面における折り目の配置が、縦の折り線は、ストレートで互いに平行であり、縦の折り目は隣接する折り線で山折りと谷折りを交互に繰り返し、横の折り線は、縦の折り線と直角に、ストレートであり、横の折り目は縦の折り線と交差するごと、及び併行して隣接する横の折り線ごとに山折りと谷折りを交互に繰り返して形成される折り目配置とし、紙面のコンテンツ記載を、裏面において表面と上下逆さまとすることを特徴とする折り畳み文書。
【請求項２】
紙面の対角のコーナーを、該対角の方向に引っ張ることによって紙面を開く折り畳み文書において、その紙面における折り目の配置が、基準配置から一定の法則で変換されるものとし、該基準配置は、縦の折り線は、ストレートで互いに平行であり、縦の折り目は隣接する折り線で山折りと谷折りを交互に繰り返し、横の折り線は、縦の折り線と直角に、ストレートであり、横の折り目は縦の折り線と交差するごと、及び併行して隣接する横の折り線ごとに山折りと谷折りを交互に繰り返して形成される折り目配置とし、該基準配置の折り目交点において、集合する４つの折り目の内で属する数の少ない折り目の方向に、縦の折り目を一定角度傾ける折り目配置とし、紙面のコンテンツ記載を、裏面において表面と上下逆さまとすることを特徴とする折り畳み文書。
【発明の詳細な説明】
【技術分野】
【０００１】本発明は、折り畳み文書の構造に関するものである。さらに詳細には。対角の両端を持って引きあるいは押す操作で開閉することのできる折り畳み文書の、固有の性質を利用した改良に関するものである。
【背景技術】
【０００２】前記両端を持って単純な操作で開閉することのできる折り畳み文書は、その利便性から、地図・パンフレット・マニュアル等の単純な文書に広く利用されている。その優れた代表例としては、Ｚカード（商標及び特許文献１）、ミウラ折り（商標及び特許文献２）等がある。【０００３】
【特許文献１】特許平１０−２７７７０８７
【特許文献２】特許昭５０−１１６８３
【０００４】例をＺカードにとると、全体形状は長方形の紙面で、その一つの対角の両コーナーに小型の長方形の表紙が付けられている。また紙面は、直交する折り目が付けられている。表紙を開きそのまま対角の方向に引っ張ると、全面が一挙に開く。この開く性質は、他の折り畳み文書とくらべて格段にすぐれている。しかし、さて裏面を閲覧しようとすると、一端閉じて裏返しにし、再び開くか、開いたまま両手を持ち換えて裏返しにするなど、他の折り畳み文書と同じように煩雑な操作になる。ミウラ折りについても、略同様なことが言える。【０００５】折り畳み文書の操作のデザイン全体について考察するならば、表裏それぞれの面における開閉の操作とともに、表裏を返す操作についても、考慮しなければならない。従来の優れた折り畳み文書についても、その部分の改良が求められていることは明らかである。
【発明の開示】
【発明が解決しようとする課題】
【０００６】本発明の課題は、対角の両端を持って開閉することのできる折り畳み文書において、表裏を閲覧するための操作を簡単にできる、折り畳み文書の構造を求めることにある。
【課題を解決するための手段】
【０００７】本発明の請求項１に係る折り畳み文書は、紙面の対角のコーナーを、該対角の方向に引っ張ることによって紙面を開く折り畳み文書において、その紙面における折り目の配置が、縦の折り線は、ストレートで互いに平行であり、縦の折り目は隣接する折り線で山折りと谷折りを交互に繰り返し、横の折り線は、縦の折り線と直角に、ストレートであり、横の折り目は縦の折り線と交差するごと、及び併行して隣接する横の折り線ごとに山折りと谷折りを交互に繰り返して形成される折り目配置とし（要するにＺカード）、紙面のコンテンツ記載を、裏面において表面と上下逆さまとすることを特徴とする折り畳み文書である。【０００８】本発明の請求項２に係る折り畳み文書は、紙面の対角のコーナーを、該対角の方向に引っ張ることによって紙面を開く折り畳み文書において、その紙面における折り目の配置が、基準配置から一定の法則で変換されるものとし、該基準配置は、縦の折り線は、ストレートで互いに平行であり、縦の折り目は隣接する折り線で山折りと谷折りを交互に繰り返し、横の折り線は、縦の折り線と直角に、ストレートであり、横の折り目は縦の折り線と交差するごと、及び併行して隣接する横の折り線ごとに山折りと谷折りを交互に繰り返して形成される折り目配置とし、該基準配置の折り目の交点において、集合する４つの折り目の内で属する数の少ない折り目の方向に、縦の折り目を一定角度傾ける折り目配置とし（要するにミウラ折り）、紙面のコンテンツ記載を、裏面において表面と上下逆さまとすることを特徴とする折り畳み文書である。
【発明の効果】
【０００９】対角のコーナーを持って開閉する折り畳み文書の特徴は、開いたときその全体が、両手で把持されていることにある。それを巧みに利用して、そのままの状態で、文書を反転させることができる。換言すると、対角コーナーを使う文書特有の性質と、反転という操作が、融合したのである。これが本発明に係る折り畳み文書の第一の効果である。【００１０】第二の効果は、第一の効果の結果に関係する。従来は文書の利用について、表面を主体として、裏面は二次的、付加的なものに限られることが多かった。しかし、表裏の閲覧が自在に出来るようになり、裏面の価値が高められるばかりか、表裏の記事を連携する可能性を示し、新たな価値を付加することができる。一例をあげれば、表面に大局の地図、裏面に詳細図を掲載する例があるが、本発明を利用すれば、相互をほとんど瞬間的に切り替えることができ、極めて有効である。
【発明を実施するための最良の形態】
【００１１】図１（ａ）、（ｂ）は、本発明に係る折り畳み文書の表面と裏面それぞれの平面図である。なお、本図では、立体形状を表現する補助として、折り目の凹凸を、山折りを実線、谷折りを破線で記載してある。図１（ａ）において、１は折り畳み文書の表面、２は折り畳み文書の裏面、３は表紙、４は縦の折り目、５は横の折り目、６は折り畳み文書の上端、７は折り畳み文書の下端、８は表面の記載コンテンツ、９は裏面の記載コンテンツである。【００１２】図１を一見すると、その明らかな特徴は、第一に裏面の記載コンテンツ９が、表面の記載コンテンツ８と上下逆さまになっていることである。図１は、通常の図面の方式に従って、裏面を表す図面は、物体固有の上下関係を保持したままとなっている。従って、左上の表紙３−１は、右上に移動している。明らかに、記載のコンテンツが上下逆さまになっていることに、大きな特徴である。【００１３】図２（ａ）では、折り畳み文書を開いたときの表面を手前に、上下方向を垂直に、斜視図で表現している。今、使用者は、左手に表紙３−１、右手に表紙３−２をつかんでいるとする。ここで、折り畳み文書を、手はそのまま持ち換えずに、その略中央の回転軸１０の周りに図に示すように約１８０度回転する。回転するとは、一寸大げさな表現であって、実際は一寸持つところを返して、左手は下におろし、右手は上にあげるだけである。個人のくせによっては、返すのが右手か左手かがあるが、どちらでもよい。その結果折畳み文書は、図２（ｂ）の状態になる。その結果、記載コンテンツ９が正常の位置となっている。【００１４】以上の説明は、空間の形状の動きがからむので、冗長にならざるをえないが、実際のモデルをそのように操作するのは、ほとんど人の自然な動きでできることで、左右・上下を意識することなく、行われる。【００１５】また表紙３のデザインに関する配慮が、本発明を実施するためには必要である。それは図２に見るように、表紙は図２（ａ）でも（ｂ）でも現れるので、活字の向きはそれに対応しなければならない。そこで、活字の上方向は紙面の横方向外向きに向いていることが望ましい。また、表紙３は、本体の用紙そのものの該当部分であってもよいし、また別の厚紙を使って該当部分に装着してもよい。
【実施例１】
【００１６】図１は、Ｚカードに適用する実施例を示す。例えばＡ３用紙を横に６分割、縦に３分割し、単位の升目より若干大きめ厚紙表紙を付着する。折り目の配列は図示の通りとする。
【実施例２】
【００１７】図３にミウラ折りに適用する実施例を示す。Ｚカードと違うところは、縦方向の折り目がジグザグになっているところである。
【産業上の利用可能性】
【００１８】地図、マニュアル、パンフレット等の簡単な文書に利用できる。
【図面の簡単な説明】
【００１９】
【図１】（ａ）折り畳み文書の平面図（表面）  （ｂ）折り畳み文書の平面図（裏面）
【図２】（ａ）折り畳み文書の斜視図（表面）  （ｂ）折り畳み文書の斜視図（裏面）
【図３】（ａ）折り畳み文書の平面図（表面）  （ｂ）折り畳み文書の平面図（裏面）
【符号の説明】
【００２０】１    折り畳み文書の表面
２    折り畳み文書の裏面
３    表紙、３−１、３−２
４    縦の折り目、４−１山折り、４−２谷折り
５    横の折り目、５−１山折り、５−２谷折り
６    折り畳み文書の上端
７    折り畳み文書の下端
８    表面の記載コンテンツ
９    裏面の記載コンテンツ
１０  回転軸
【図１】
2012056301.tif 000003
【図２】
2012056301.tif 000004
【図３】
2012056301.tif 000005